(57)【要約】      （修正有）【課題】温泉浴場等で入浴者が下腹部を開放のまま長時間入浴と休息を繰り返して居る、この光景を解消したいと強く感じた一部の人はタオルや手ぬぐいで下腹部を押えているが、そこでエプロンの様に簡単に着けられる温泉フードを提供する。【解決手段】長方形のフード用の布３枚を作り内２枚のフード布の１部を重ねて其の下に残りの１枚を重ね布製の紐に手順通りに縫合するこれを着用して腰を下ろしても布の裾が開いても奥に中央フードの布が有るので下腹部はガードされる。【選択図】図３
0003114490.tif 000002
【実用新案登録請求の範囲】
【請求項１】
温泉浴場が各地に出現しているがそこを利用する入浴客に下腹部を覆う浴場用フードを考案したこれを温泉フードという入浴客は長時間入浴と休憩を繰り返し岩場に腰を下ろして休む事になるが心有る人を除き大半は下腹部開放のままであるこの光景を解消する為温泉フード考案のヒントにした
【請求項２】
長方形のフード用の布３枚を作り内２枚のフード布の１部を重ねて其の下に残りの１枚を重ね布製の紐に手順通りに縫合するこれを着用して腰を下ろしても図３の如く２と３の布の裾は開いても奥に４の布が有るので下腹部はガードされるここが温泉フードの特徴である
【考案の詳細な説明】
【技術分野】
【０００１】この温泉フードは素材に晒しを使う事にしたフードの部分も紐の部分も晒しを使い日本人が得意とする結ぶと言う動作で着用できるのである  晒し布でハンカチ大３枚を作り内２枚を図３の２と３の位置に置き中央部５ｃｍを重ねて其の下に１の布を重ね１の紐の４ツ折のスキマに差し込んで縫合する
【背景技術】
【０００２】日本では昔から浴場で他人に下腹部を見せないと云う風習が伝承されてきた温泉浴場等では入浴と休憩を長時間繰り返すが下腹部は大半の人が開放のままである
この光景を解消したいと思ったのが温泉フード考案のヒントになった
【考案の開示】
【考案が解決しようとする課題】
【０００３】普通腰に布を巻いてイスに腰を掛けると裾がめくれ上がって仕舞うが温泉フードでは図３の２と３の布が左右に開いても其の奥に４の布が下がっているので下腹部は見えない温泉フードの特徴である
【課題を解決するための手段】
【０００４】図３の２と３の布の様に別別に作って１部を重ねて其の下に４の布を重ねる
１の紐に縫合するこれが裾のめくり上がりを防いているし露出も防いでいるのである
温泉フードの使用目的はフードと紐の組み合わせにある布の紐に上記フード布を縫合した事が使用目的を向上させた
【考案の効果】
【０００５】先ず両手が使え歩いても腰を掛けて休んでいてもスマートである
【考案の実施する為の最良の形態】
【０００６】この温泉フードは温泉浴場のムードを変えることになると思う今まで脱衣場から浴室そして浴槽や露天風呂まで下腹部開放のまま歩き回っていた人たちがスマートな温泉フードをつけて休んでいるのである３枚の布を考案の手順で紐に縫合するだけの簡単な物だが目的は達成される
【実施例】
【０００７】この温泉フードはパンツではない紐を腰に巻いて結ぶだけである
【図面の簡単な説明】
【０００８】
【図１】本考案の平面図
【図２】本考案の着用正面図
【図３】本考案の腰を下ろした着用正面図
【図４】本考案の着用背面図
【符号の説明】
【０００９】１  巻き付け紐
２  右フード布
３  左フード布
４  中央フード布
【図１】
0003114490.tif 000003
【図２】
0003114490.tif 000004
【図３】
0003114490.tif 000005
【図４】
0003114490.tif 000006
【手続補正書】
【提出日】平成17年3月25日(2005.3.25)
【手続補正１】
【補正対象書類名】実用新案登録請求の範囲
【補正対象項目名】全文
【補正方法】変更
【補正の内容】
【実用新案登録請求の範囲】
【請求項１】
晒しを使って長さ１．８ｍの紐の中央部に同じ材料を使った長さ０．５ｍのフード布３枚を手順通りに組み合わせ縫合した下腹部覆いのフードである、温泉浴場で着用するので温泉フードと云う
【請求項２】
この温泉フードを着用して腰掛けに腰を下ろしても床に腰を下ろして足を投げ出しても右フード布と左フード布は２ツに分割してある為、裾のメクリ上りは無いが左、右、のフード布の重ね部分の裾は開くので、其の為背面に中央フード布が下がっているフード布を３枚にした事で下腹部覆いと言う目的を果たした温泉フードである。
【手続補正２】
【補正対象書類名】明細書
【補正対象項目名】全文
【補正方法】変更
【補正の内容】
【考案の詳細な説明】
【技術分野】
【０００１】この温泉フードは腰に巻き付ける紐と３枚のフード布で出来ている，晒しを使った紐は長さ１．８ｍフード布は０．５Ｍとし先ず紐を作る晒しで巾８ｃｍを作りそれを２ツ折りして左，右４ｃｍにする，それを中心線を挟んで更に２ツ折り２ｃｍにして左側を使う，其の紐の中心点を定めそこにフード布の１枚の中心を合わせて載せる，中央フード布である次に残る２枚のフード布の片側１０ｃｍを重ねて更に中心も合わせて載せる右フード布と左フード布である。この３枚のフード布を先に２ツ折りした紐の２ｃｍの片側で挟む様にして紐本体と一緒に縫合する．下腹部覆いのフードである。
【背景技術】
【０００２】下腹部を覆うという考えは昔から有ったと思うが手拭いを腰に巻いたり手で押えたりして納得してきたがスマートで着脱も簡単な物は発見されていない。この温泉フードは紐を結ぶだけで着用でき３枚のフード布が腰の周りをガードしてくれる。
【考案の開示】
【考案が解決しようとする課題】
【０００３】各地に温泉浴場が出現しているが、そこでは脱衣場，浴室，浴槽、サウナ，露天、と長時間入浴と休憩を繰り返している、そこで下腹部覆いのフードを作る事にした。誰でも手軽に入手できてスマートで充分目的が果たせる物。この温泉フードが晒しを使って紐を結ぶと云う着用方法と腰の周りを３枚のフード布で覆うと云う発想で実現した。
【考案を解決する為の手段】
【０００４】晒しの紐の中央部にフード布を右、中央、左の順に並べて縫合するのだが右フード布と左フード布を分割した事とその背面に中央フード布を配したことが下腹部覆いを確実な物にしたフードである。
【考案の効果】
【０００５】温泉フードを着用して起立して見る，外観的にもスマートである、又腰掛けてもフード布が左，右，に分割している為裾がメクリ上りせずに又左フード布と右フード布の重ね部分の開きも其の背面に中央フードが下がって居るので下腹部覆いの目的を果たしている、床に腰を下ろして足を投げ出しても効果は同じである。
【考案の実施する為の最良の形態】
【０００６】この温泉フードは３枚のフード布と１本の紐の組み合わせで出来ている、先ず紐であるが長さ１．８ｍ巾８ｃｍの晒しを２ツ折り左、右、４ｃｍにし左側を使う左側を更に２ツ折りにして長さの中心を決め１枚のフード布の中心をそこに合わせ更に上部を紐の中心線に沿って載せる、次にフード布の１枚を右フード布として其の左端１０ｃｍを、残る１枚を左フード布として其の右端１０ｃｍを重ねて中心を合わせ更に上部を紐の中心線に沿って載せる。この３枚のフード布を紐の２ツ折り４ｃｍの右側を更に２ツ折りして挟む様に紐本体と一緒に縫合する３枚のフード布は上部で巻きつけ紐と縫合されているが前部はフード布の重ね部分と後部は紐の結び部分のみが開放されているが前部は其の背面に中央フード布が下がって居るので下腹部覆いは充分である。
【実施例】
【０００７】温泉浴場で先ず脱衣場に入る温泉フードを着ける、これは巻き付紐を腰に付け紐を結ぶだけであるが長さ５０ｃｍのフード布が２枚右と左に腰の周りを取り囲む、其の前面の重ね部分の背後には中央フード布が下がっているので下腹部覆いは充分である．浴場に居る間は着けているべきである。
【図面の簡単な説明】
【図１】    本考案の平面図
【図２】    本考案の着用正面図
【図３】    本考案の腰を下ろした着用正面図
【図４】    本考案の着用背面図
【符号の説明】
１    巻きつけ紐
２    右フード布
３    左フード布
４    中央フード布
【手続補正３】
【補正対象書類名】図面
【補正対象項目名】全図
【補正方法】変更
【補正の内容】
【図１】
0003114490.tif 000007
【図２】
0003114490.tif 000008
【図３】
0003114490.tif 000009
【図４】
0003114490.tif 000010
【手続補正書】
【提出日】平成17年6月23日(2005.6.23)
【手続補正１】
【補正対象書類名】実用新案登録請求の範囲
【補正対象項目名】全文
【補正方法】変更
【補正の内容】
【実用新案登録請求の範囲】
【請求項１】
下腹部覆いのフード布を腰の周りに装着する為、晒しの紐と晒しを使ったフード布３枚を使い、先ず紐に対して、２枚のフード布が離間して縫合されており、上記２枚のフード布が離間している箇所に更に別の１枚のフード布が、上記２枚のフード布と重なる様に，上記紐に対して縫合されている事を特徴とする温泉フード
【手続補正２】
【補正対象書類名】明細書
【補正対象項目名】全文
【補正方法】変更
【補正の内容】
【考案の詳細な説明】
【技術分野】
【０００１】  この温泉フードは腰に巻き付ける紐と下腹部を覆う３枚のフード布で出来て居る．晒しを使った長さ１．８Ｍ，巾８ｃｍの細長の材料を作り，それに２ｃｍ巾の折り目をつけａｂｃｄの符号をつけるａを２ツ折りｂに重ねてａ面と言う．次にｄをｃに重ねてｄ面と云う．このａ面とｄ面で３枚のフード布を挟んで紐本体と一緒に縫合する、フード布ｅとｆは着用者の体格にも依るが標準サイズとして長さ５０ｃｍ。フード布ｇは長さ４０ｃｍとする．このフード布ｇは腰を下ろした時フード布のｅとｆの裾のメクレをカバーする役目も兼ねている。
【背景技術】
【０００２】  下腹部を覆うと云う考えは誰でも持っているがスマートで着脱もカンタンななフードは見かけない．この温泉フードは巻きつけ紐に対してフード布が離間して縫合されて居り其の箇所に更に別の１枚のフード布が重なる様に紐に対して縫合されている。
【考案の開示】
【考案が解決しようとする課題】
【０００３】  下腹部を覆うと云う目的から腰の周囲にフード布を装着する方法を考案した。其の為大事なことは腰に巻き付ける紐である．晒しで長さ１．８Ｍ巾８ｃｍを作り２ｃｍ巾の折り目を作りａ．ｂ．ｃ．ｄの符合をつける，先ずａを２ツ折りｂに重ねてこれをａ面とする．次にｄを２ツ折りｃに重ねてこれをｄ面とするフード布を巻きつけ紐ａ面ｄ面で挟む様にし縫合する，これを着用し起立する。フード布ｅとｆと更に別のｇが腰の周りをガードしている。フードｅとｆが離間している箇所にフード布ｇが重なる様に上記紐に対して縫合されている事が機能を確実にした。
【課題を解決する為の手段】
【０００４】フード布３枚ｅ．ｆ．ｇ．を巻きつけ紐のａ面とｄ面で挟む様に紐本体と一緒に縫合する．この状態で直立の姿勢から腰を下ろすとフード布ｅとｆの裾は少し開くのでフード布ｇはフード布ｅとｆに対して均衡に重なる様に巻き付紐に縫合される．これに依りどのような動きをしても下腹部覆いの機能は確実である。
【考案の効果】
【０００５】  この温泉フードを着用して直立又は歩行してみる，外観的にも紐やフード布の長さ，巾それに形態のバランスがとれている、腰をおろして足を投げ出しても状態は変わらない．晒しの紐を結ぶ事で着脱が出来る又は背後で結べない時は前で結んで後え回せば可である。フード布３枚を晒しの紐に縫合しただけの構造になっている為入浴する事も出来る，両手が使えるので子供を抱いて温泉にも入れる．。
【考案を実施する為の最良の形態】
【０００６】  この温泉フードの基本は巻きつけ紐になると思う，細くても硬くても短くても不可で着用感が良い事と機能的でなければ成らない．腰の周りを２枚のフード布ｅとｆがスマートに取り巻いて居る。フード布が離間して縫合してある箇所には更に別の１枚のフード布ｇが重なる様に上記紐に対して縫合されている。
【図面の簡単な説明】
【０００７】
【図１】巻き付紐用の晒し８ｃｍ巾を作りこれを４ツ折り２ｃｍ巾にしてａ．ｂ．ｃ．ｄ．の符号をつける．図１のａを２ツ折りｂに重ねてａ面としｄをｃに重ねてｄ面とする。
【図２】フード布３枚ｅｆｇを巻き付紐ａ面とｄ面で挟む様に縫合する。
【図３】着用正面図。
【図４】着用して腰を下ろした正面図。
【符号の説明】
【０００８】ａからｄまでは巻きつけ紐４ツ折り２ｃｍ巾の符号。
ｅとｆは長さ５０ｃｍのフード布２枚。
ｇは長さ４０ｃｍのフード布１枚。
ｈはフード布２枚ｅとｆの前部の境目。
【手続補正３】
【補正対象書類名】図面
【補正対象項目名】全図
【補正方法】変更
【補正の内容】
【図１】
0003114490.tif 000011
【図２】
0003114490.tif 000012
【図３】
0003114490.tif 000013
【図４】
0003114490.tif 000014